(57)【要約】【課題】第１の観察領域に第１画像を提供し、第２の観察領域に第２画像を提供する表意装置における表示品質の低下を抑制する。【解決手段】表示パネル１０には、複数の走査線１２と複数のデータ線１４との各交差に対応して配置される複数の電気光学素子Ｅが配置され、複数の電気光学素子Ｅは第１画像ＧＡを表示する複数の第１画像表示用素子Ｅ１と、第２画像ＧＢを表示する第２画像表示用素子Ｅ２とからなる。複数の走査線１２の各々には、第１画像表示用素子Ｅ１と第２画像表示用素子Ｅ２とが共通に接続される。そして、第１画像ＧＡの表示に必要な第１画像表示用素子Ｅ１が駆動されるとともに各第２画像表示用素子Ｅ２の少なくとも一部が駆動されない第１期間と、第２画像ＧＢの表示に必要な第２画像表示用素子Ｅ２が駆動されるとともに各第１画像表示用素子Ｅ１の少なくとも一部が駆動されない第２期間とが繰り返されるように、各素子の駆動が制御される。【選択図】      図５
2009300815.tif 000002
【特許請求の範囲】
【請求項１】
第１の観察領域に第１画像を提供し、第２の観察領域に第２画像を提供する表示装置であって、
複数の走査線と複数のデータ線との各交差に対応して配置される複数の電気光学素子を有し、前記複数の電気光学素子には前記第１画像を表示する複数の第１画像表示用素子からなる第１の素子群と、前記第２画像を表示する複数の第２画像表示用素子からなる第２の素子群とがある表示パネルと、
前記表示パネルにおける前記第１の素子群からの発光を前記第１の観察領域へ進行するように制御するとともに、前記第２の素子群からの発光を前記第２の観察領域へ進行するように制御する光進行制御部と、
前記第１の素子群および前記第２の素子群の駆動を制御する制御部と、を備え、
前記複数の走査線の各々には、前記第１画像表示用素子と前記第２画像表示用素子とが共通に接続され、
前記制御部は、前記第１の素子群の前記第１画像表示用素子が駆動されるとともに前記第２の素子群の前記第２画像表示用素子のうちの少なくとも一部が駆動されない第１期間と、前記第２の素子群の前記第２画像表示用素子が駆動されるとともに前記第１の素子群の前記第１画像表示用素子のうちの少なくとも一部が駆動されない第２期間とが繰り返されるように、前記第１の素子群および前記第２の素子群の駆動を制御する、
ことを特徴とする表示装置。
【請求項２】
前記制御部は、前記第１期間と前記第２期間とを６０Ｈｚ以上の周波数で繰り返す、
ことを特徴とする請求項１に記載の表示装置。
【請求項３】
前記第１画像は観察者の右目に入射され、前記第２画像は前記観察者の左目に入射され、    
前記観察者は、前記第１画像および前記第２画像の視差によって立体画像を認識する、
ことを特徴とする請求項１または請求項２に記載の表示装置。
【請求項４】
前記第１の観察領域と前記第２の観察領域との間の距離は、観察者の両目間距離よりも大きく、
前記第１の観察領域には第１の観察者が位置し、前記第２の観察領域には第２の観察者が位置する、
ことを特徴とする請求項１または請求項２に記載の表示装置。
【請求項５】
前記第１期間では、前記第２の素子群の前記第２画像表示用素子の全てが駆動されず、
前記第２期間では、前記第１の素子群の前記第１画像表示用素子の全てが駆動されないことを特徴とする請求項１乃至４に記載の表示装置。
【発明の詳細な説明】
【技術分野】
【０００１】
本発明は、第１の観察領域に第１画像を提供し、第２の観察領域に第２画像を提供する表示装置に関する。
【背景技術】
【０００２】
従来、ひとつの画面に複数の画像を表示し、第１の観察領域に第１画像を提供し、第２の観察領域に第２画像を提供する２画面表示用の表示装置が知られている（例えば特許文献１参照）。例えば、このような２画面表示用の表示装置を自動車内の運転席と助手席との間に配置することで、運転席の者には例えばカーナビゲーション装置の映像を観察できるようにし、助手席の者にはその他の映像を観察できるようにすることができる。
【特許文献１】特開２００５−２５８０１６号公報
【発明の開示】
【発明が解決しようとする課題】
【０００３】
上述の表示装置の表示パネルには、複数の走査線と複数のデータ線との各交差に対応して配置される複数の電気光学素子が配置される。複数の電気光学素子には、第１画像を表示する複数の第１画像表示用素子と、第２画像を表示する複数の第２画像表示用素子とが含まれ、複数の走査線の各々には、第１画像表示用素子と第２画像表示用素子とが共通に接続される。
【０００４】
複数の走査線のうちのひとつの走査線が選択されると、当該ひとつの走査線に接続された第１画像表示用素子および第２画像表示用素子の各々には、それぞれのデータ電位が同時に供給される。このとき、第１画像表示用素子に供給されるデータ電位は第２画像表示用素子に供給されるデータ電位の影響を受けて変化し、第２画像表示用素子に供給されるデータ電位は第１画像表示用素子に供給されるデータ電位の影響を受けて変化してしまい、両方の画像の表示が不安定になるというクロストークの問題があった。
以上の事情に鑑みて、本発明は、第１の観察領域に第１画像を提供し、第２の観察領域に第２画像を提供する表示装置における表示品質の低下を抑制するという課題の解決を目的としている。
【課題を解決するための手段】
【０００５】
以上の課題を解決するために、本発明に係る表示装置は、第１の観察領域に第１画像を提供し、第２の観察領域に第２画像を提供する表示装置であって、複数の走査線と複数のデータ線との各交差に対応して配置される複数の電気光学素子を有し、電気光学素子には第１画像を表示する複数の第１画像表示用素子からなる第１の素子群と、第２画像を表示する複数の第２画像表示用素子からなる第２の素子群とがある表示パネルと、表示パネルにおける第１の素子群からの発光を第１の観察領域へ進行するように制御するとともに、第２の素子群からの発光を第２の観察領域へ進行するように制御する光進行制御部と、第１の素子群および第２の素子群の駆動を制御する制御部と、を備え、複数の走査線の各々には、第１画像表示用素子と第２画像表示用素子とが共通に接続され、制御部は、第１の素子群の第１画像表示用素子が駆動されるとともに第２の素子群の第２画像表示用素子のうちの少なくとも一部が駆動されない第１期間と、第２の素子群の第２画像表示用素子が駆動されるとともに第１の素子群の第１画像表示用素子のうちの少なくとも一部が駆動されない第２期間とが繰り返されるように、第１の素子群および第２の素子群の駆動を制御することを特徴とする。
【０００６】
この態様によれば、第１期間においては第１の素子群の第１画像表示用素子が駆動されるとともに第２の素子群の第２画像表示用素子のうちの少なくとも一部が駆動されず、第２期間においては第２の素子群の第２画像表示用素子が駆動されるとともに第１の素子群の第１画像表示用素子のうちの少なくとも一部が駆動されないから、各第１画像表示用素子と各第２画像表示用素子とを同時に駆動する態様に比べて、第１画像および第２画像の表示が不安定になることを抑制できる。従って、表示装置の表示品質の低下を抑制できるという利点がある。
【０００７】
なお、「電気光学素子」とは、印加される電気エネルギーに応じて発光特性や光の透過特性などの光学特性が変化する素子である。印加される電気エネルギーに応じて発光特性が変化する素子としては、例えば有機ＥＬ（ElectroLuminescent）素子や発光ポリマー素子などと呼ばれる有機発光ダイオード（Organic Light Emitting Diode、以下「ＯＬＥＤ」という）素子がある。また、印加される電気エネルギーに応じて光の透過特性が変化する素子としては、例えば液晶がある。
【０００８】
本発明に係る表示装置の態様として、制御部は、第１期間と第２期間とを６０Ｈｚ以上の周波数で繰り返すことが好ましい。この態様によれば、表示装置にフリッカーが発生することを抑制できるという利点がある。ここで、「フリッカー」とは、画像の書き換え頻度であるリフレッシュレートが低く、人間の目で画像の点滅を認識できるようになる現象を意味する。
【０００９】
また、本発明に係る表示装置の態様として、第１画像は観察者の右目に入射され、第２画像は観察者の左目に入射され、観察者は、第１画像および第２画像の視差によって立体画像を認識する態様とすることができる。
【００１０】
また、本発明に係る表示装置の態様として、第１の観察領域と第２の観察領域との間の距離は、観察者の両目間距離よりも大きく、第１の観察領域には第１の観察者が位置し、第２の観察領域には第２の観察者が位置する態様とすることもできる。
【００１１】
さらに、本発明に係る表示装置の態様として、第１期間では、第２の素子群の第２画像表示用素子の全てが駆動されず、第２期間では、第１の素子群の第１画像表示用素子の全てが駆動されない態様とすることもできる。
【発明を実施するための最良の形態】
【００１２】
図１は、本発明の実施形態に係る表示装置１００の断面図である。本実施形態に係る表示装置１００は、自動車内の運転席と助手席との間に配置される。図１に示す第１の観察領域Ｏａには運転者が位置し、第２の観察領域Ｏｂには助手席の者が位置する。
【００１３】
図１に示すように、表示装置１００は、表示パネル１０と光進行制御部２０とを有する。表示パネル１０は、第１基板１１と、第１基板１１上に形成される電気光学素子Ｅ（Ｅ１，Ｅ２）と、電気光学素子Ｅを覆う保護層１３とを含む。保護層１３は、電気光学素子Ｅに水分や気体が浸入するのを防止するためのものであり、例えば高密度プラズマ成膜法によって形成された珪素窒化物、珪素酸化物などの珪素化合物で構成される。
【００１４】
図２は、表示パネル１０の電気的な構成を示すブロック図である。図２に示すように、表示パネル１０は、複数の電気光学素子Ｅを平面状に配列した素子部Ｑを備える。複数の電気光学素子Ｅの各々は、相対向する各電極（陽極と陰極）の間に有機ＥＬ発光層を介在させたＯＬＥＤ素子であり、印加電圧に応じて階調が変化する。
【００１５】
素子部Ｑ内には、Ｘ方向に延在するｍ本の走査線１２と、Ｘ方向に交差するＹ方向に延在するｎ本のデータ線１４とが設けられる（ｍおよびｎは自然数）。複数の電気光学素子Ｅは、複数の走査線１２と複数のデータ線１４との各交差に対応して配置される。図２に示すように、素子部Ｑ内においては、各走査線１２に接続されるｎ個の電気光学素子Ｅで各々が構成される複数の素子行ＲがＹ方向に並列的に配置される。
【００１６】
図２に示すように、複数の電気光学素子Ｅは、第１画像ＧＡの表示に利用される第１画像表示用素子Ｅ１と、第２画像ＧＢの表示に利用される第２画像表示用素子Ｅ２とに区分される。本実施形態においては、複数の第１画像表示用素子Ｅ１からなる第１の素子群と、複数の第２画像表示用素子Ｅ２からなる第２の素子群とが表示パネル１０に配置される。
【００１７】
図２に示すように、第１画像表示用素子Ｅ１と第２画像表示用素子Ｅ２とはＸ方向およびＹ方向に沿って交互に配列されている。本実施形態においては、奇数行目の各素子行Ｒにおける奇数列目の電気光学素子Ｅと偶数行目の各素子行Ｒにおける偶数列目の電気光学素子Ｅとが第１画像表示用素子Ｅ１であり、奇数行目の各素子行Ｒにおける偶数列目の電気光学素子Ｅと偶数行目の各素子行Ｒにおける奇数列目の電気光学素子Ｅとが第２画像表示用素子Ｅ２である。図２においてひとつの走査線１２に着目すると、当該ひとつの走査線１２には、複数（ｎ／２個）の第１画像表示用素子Ｅ１と複数（ｎ／２個）の第２画像表示用素子Ｅ２とが共通に接続されるとともに、第１画像表示用素子Ｅ１と第２画像表示用素子Ｅ２とがＸ方向に沿って交互に配置される。
【００１８】
図１に示す光進行制御部２０はパララックスバリアであり、表示パネル１０における第１画像表示用素子Ｅ１（第１の素子群）からの発光を第１の観察領域Ｏａへ進行するように制御するとともに、表示パネル１０における第２画像表示用素子Ｅ２（第２の素子群）からの発光を第２の観察領域Ｏｂへ進行するように制御する。図１に示すように、光進行制御部２０は、ガラスなどの透光体からなる第２基板２２と、第２基板２２上に形成されたバリア層２４とを含む。
【００１９】
図３に示すように、バリア層２４には開口部２１および遮光部２３が形成され、開口部２１および遮光部２３は、Ｘ方向およびＹ方向に沿って交互に配置される。そして、図１に示すように、第１画像表示用素子Ｅ１による表示光はバリア層２４の各開口部２１を通過して第１の観察領域Ｏａに到達し、第２画像表示用素子Ｅ２による表示光はバリア層２４の各開口部２１を通過して第２の観察領域Ｏｂに到達する。
【００２０】
図４は、本実施形態の表示装置１００の動作を説明するためのタイミングチャートである。図２に示す走査線駆動回路３２は、図４に示すように、各走査線１２に出力する走査信号Ｙ（Ｙ[１]〜Ｙ[ｍ]）を所定の順番にてアクティブレベルに設定することで各単位期間（垂直走査期間）Ｆ内の水平走査期間Ｈ毎にｍ本の走査線１２の各々を順次に選択する。
【００２１】
図２に示すデータ線駆動回路３４は、走査線駆動回路３２が選択した走査線１２に接続された１行分のｎ個の電気光学素子Ｅの各々に対応するデータ電位Ｘ（Ｘ[１]〜Ｘ[ｎ]）を生成して各データ線１０４に出力する。第ｉ行（ｉは１≦ｉ≦ｍを満たす整数）の選択時に第ｊ列目（ｊは１≦ｊ≦ｎを満たす整数）のデータ線１０４に出力されるデータ電位Ｘ[ｊ]は、第ｉ行の第ｊ列目に位置する電気光学素子Ｅに対して指定された階調に応じた電位となる。
【００２２】
図２に示す制御部４０は、表示パネル１０に配置された第１の素子群および第２の素子群の駆動を制御する。制御部４０は、例えば同期信号や制御信号を走査線駆動回路３２およびデータ線駆動回路３４に出力するほか、階調データＤをデータ線駆動回路３４に出力する。階調データDは、第１画像ＧＡおよび第２画像ＧＢの各々における各素子Ｅの階調を指定するデータである。データ線駆動回路３４は、制御部４０から供給される階調データＤに基づいて、各データ線１４に出力すべきデータ電位Ｘを生成する。
【００２３】
本実施形態において、制御部４０は、第１の素子群の第１画像表示用素子Ｅ１が駆動されるとともに第２の素子群の第２画像表示用素子Ｅ２が駆動されない第１期間と、第２の素子群の第２画像表示用素子Ｅ２が駆動されるとともに第１の素子群の第１画像表示用素子Ｅ１が駆動されない第２期間とが繰り返されるように、第１の素子群および第２の素子群の駆動を制御する。より具体的には以下のとおりである。
【００２４】
制御部４０は、図５（Ａ）に示すように、第ｆ番目（ｆは奇数）の単位期間Ｆ（以降、「第１画像表示期間Ｔga」と呼ぶ）においては、第１画像ＧＡのみが表示されて第２画像ＧＢは「黒」表示となるようにデータ線駆動回路３４を制御する。このとき、第１の観察領域Ｏａに位置する運転者には、図６（Ａ）に示す第１画像ＧＡが出力される。
【００２５】
ここで、電気光学素子Ｅに供給されるデータ電位Ｘは、当該電気光学素子Ｅに対して指定された階調に応じた電位となり、本実施形態では、最低階調である「黒」が指定された場合は、データ電位Ｘの値は０Ｖである。すなわち、第１画像表示期間Ｔgaにおいては、データ線駆動回路３４は、第１画像ＧＡを表示するためのデータ電位Ｘを各第１画像表示用素子Ｅ１に供給するとともに、各第２画像表示用素子Ｅ２にはデータ電位Ｘを供給しない。従って、第１画像表示期間Ｔgaにおいては、各第２画像表示用素子Ｅ２は駆動されないから、第１画像ＧＡの表示に必要な第１画像表示用素子Ｅ１に供給されるデータ電位Ｘが各第２画像表示用素子Ｅ２に供給されるデータ電位Ｘの影響を受けて、第１画像ＧＡの表示が不安定になること（クロストークの発生）を抑制できる。
【００２６】
一方、制御部としての制御回路４０は、図５（Ｂ）に示すように、第ｆ＋１番目（つまり偶数番目）の単位期間Ｆ（以降、「第２画像表示期間Ｔgbと呼ぶ」）においては、第２画像ＧＢのみが表示されて第１画像ＧＡは「黒」表示となるようにデータ線駆動回路３４を制御する。このとき、第２の観察領域Ｏｂに位置する助手席の者には、図６（Ｂ）に示す第２画像ＧＢが出力される。
【００２７】
第２画像表示期間Ｔgbにおいては、データ線駆動回路３４は、第２画像ＧＡを表示するためのデータ電位Ｘを各第２画像表示用素子Ｅ２に供給するとともに、各第１画像表示用素子Ｅ１にはデータ電位Ｘを供給しない。従って、第２画像表示期間Ｔgbにおいては、各第１画像表示用素子Ｅ１は駆動されないから、第２画像ＧＢの表示に必要な第２画像表示用素子Ｅ１に供給されるデータ電位Ｘが各第１画像表示用素子Ｅ１に供給されるデータ電位Ｘの影響を受けて、第２画像ＧＢの表示が不安定になること（クロストークの発生）を抑制できる。
【００２８】
すなわち、本実施形態においては、第１画像表示期間Ｔgaでは、第１画像ＧＡの表示に必要な第１画像表示用素子Ｅ１のみが駆動されて各第２画像表示用素子Ｅ２は駆動されず、第２画像表示期間Ｔgbでは、第２画像ＧＢの表示に必要な第２画像表示用素子Ｅ２のみが駆動されて各第１画像表示用素子Ｅ１は駆動されないから、第１画像ＧＡの表示に必要な第１画像表示用素子Ｅ１と、第２画像ＧＢの表示に必要な第２画像表示用素子Ｅ２とを同時に駆動する態様に比べて、第１画像ＧＡおよび第２画像ＧＢの表示が不安定になることを抑制できる。従って、表示装置１００の表示品質の低下を抑制できるという利点がある。
【００２９】
また、本実施形態の制御部４０は、図７に示すように、第１画像表示期間Ｔgaと第２画像表示期間Ｔgbとが６０Ｈｚの周波数で繰り返される（つまり、１／６０秒の周期で繰り返される）ように制御する。この態様によれば、第１画像ＧＡおよび第２画像ＧＢの各々についてフリッカーが発生することを抑制できるという利点がある。なお、制御部４０は、第１画像表示期間Ｔgaと第２画像表示期間Ｔgbとが６０Ｈｚの周波数よりも高い周波数で繰り返されるように制御することもできる。
【００３０】
本発明は上述した実施形態に限定されるものではなく、例えば、以下の変形が可能である。また、以下に示す変形例のうちの２以上の変形例を組み合わせることもできる。
【００３１】
（１）変形例１
上述の実施形態における光進行制御部２０のバリア層２４には、図３に示すように、開口部２１および遮光部２３がＸ方向およびＹ方向に沿って交互に配置するように形成されているが、例えば図８に示すように、開口部２１がＹ方向に沿って延びるように形成されるとともに、開口部２１と遮光部２３とがＸ方向に沿って交互に配置するように形成される態様とすることもできる。この態様においては、例えば図９に示すように、各素子行Ｒにおける奇数列目の電気光学素子Ｅが第１画像表示用素子Ｅ１であり、各素子行Ｒにおける偶数列目の電気光学素子Ｅが第２画像表示用素子Ｅ２である。
【００３２】
また、上述の実施形態においては、光進行制御部２０がパララックスバリアである態様が例示されているが、これに限らず、例えば光進行制御部２０がレンティキュラレンズである態様とすることもできる。要するに、光進行制御部２０は、表示パネル１０における第１画像表示用素子Ｅ１（第１の素子群）からの発光を第１の観察領域Ｏａへ進行するように制御するとともに、第２画像表示用素子Ｅ２（第２の素子群）からの発光を第２の観察領域Ｏｂへ進行するように制御する手段であればよく、その具体的な態様は任意である。
【００３３】
（２）変形例２
上述の実施形態においては、第１画像表示期間Ｔgaでは、第１画像ＧＡの表示に必要な第１画像表示用素子Ｅ１のみが駆動されて各第２画像表示用素子Ｅ２は駆動されない態様が例示されているが、これに限らず、例えば第１画像表示期間Ｔgaでは、図１０（Ａ）に示すように、第１画像ＧＡの表示に必要な第１画像表示用素子Ｅ１が駆動されるとともに第２画像ＧＢの表示に必要な第２画像表示用素子Ｅ２の一部が駆動されない態様（つまり、当該一部の第２画像表示用素子Ｅ２に対して「黒」が指定される）とすることもできる。
【００３４】
また、上述の実施形態においては、第２画像表示期間Ｔgbでは、第２画像ＧＢの表示に必要な第２画像表示用素子Ｅ２のみが駆動されて各第１画像表示用素子Ｅ１は駆動されない態様が例示されているが、これに限らず、例えば第２画像表示期間Ｔgbでは、図１０（Ｂ）に示すように、第２画像ＧＢの表示に必要な各第２画像表示用素子Ｅ２が駆動されるとともに第１画像ＧＡの表示に必要な第１画像表示用素子Ｅ１のうちの一部が駆動されない（つまり、当該一部の第１画像表示用素子Ｅ１に対して「黒」が指定される）態様とすることもできる。
【００３５】
要するに、本発明に係る制御部４０は、第１画像ＧＡの表示に必要な第１画像表示用素子Ｅ１が駆動されるとともに第２画像ＧＢの表示に必要な第２画像表示用素子Ｅ２のうちの少なくとも一部が駆動されない第１期間（上述の第１画像表示期間Ｔgaに相当）と、第２画像ＧＢの表示に必要な第２画像表示用素子Ｅ２が駆動されるとともに第１画像ＧＡの表示に必要な第１画像表示用素子Ｅ１のうちの少なくとも一部が駆動されない第２期間（上述の第２画像表示期間Ｔgbに相当）とが繰り返されるように、各素子の駆動を制御する態様であればよい。この態様によれば、第１画像ＧＡの表示に必要な第１画像表示用素子Ｅ１と、第２画像ＧＢの表示に必要な第２画像表示用素子Ｅ２とを同時に駆動する態様に比べて、第１画像ＧＡおよび第２画像ＧＢの表示が不安定になることを抑制できる。従って、表示装置１００の表示品質の低下を抑制できるという利点がある。
【００３６】
（３）変形例３
例えば、第１画像ＧＡは観察者の右目に入射され、第２画像ＧＢは観察者の左目に入射され、観察者は、第１画像ＧＡおよび第２画像ＧＢの視差によって立体画像を認識する態様とすることもできる。この態様においては、第１の観察領域Ｏａが観察者の右目に相当し、第２の観察領域Ｏｂが観察者の左目に相当する。
【００３７】
また、上述の実施形態のように、第１の観察領域Ｏａと第２の観察領域Ｏｂとの間の距離は、観察者の両目間距離よりも大きく、第１の観察領域Ｏａには第１画像ＧＡを認識する第１の観察者が位置し、第２の観察領域Ｏｂには第２画像ＧＢを認識する第２の観察者が位置する態様であってもよいことは勿論である。この態様における表示装置（２画面表示用の表示装置）の用途は任意であり、例えば商談用や広告用のディスプレイに利用することもできるし、家庭用テレビに利用することもできる。また、例えば２画面対戦型のテレビゲームなどに利用することもできる。
【００３８】
（４）変形例４
上述の実施形態においては、２画面表示用の表示装置１００が例示されているが、これに限らず、本発明に係る表示装置は、ひとつの画面に３つ以上の画像を表示する表示装置であってもよい。
【００３９】
例えば、第１の観察領域に第１画像を提供し、第２の観察領域に第２画像を提供し、第３の観察領域に第３画像を提供する３画面表示用の表示装置の場合、表示パネル１０に配置された複数の電気光学素子Ｅは、第１画像を表示する複数の第１画像表示用素子と、第２画像を表示する複数の第２画像表示用素子と、第３画像を表示する複数の第３画像表示用素子とからなる。複数の走査線１２の各々には、第１画像表示用素子と第２画像表示用素子と第３画像表示用素子とが共通に接続される。
【００４０】
そして、第３ｋ＋１番目（ｋ＝０，１，２，・・・）の単位期間（垂直走査期間）Ｆ内では、第１画像の表示に必要な第１画像表示用素子のみが駆動されて各第２画像表示用素子および各第３画像表示用素子は駆動されず、第３ｋ＋２番目の単位期間Ｆ内では、第２画像の表示に必要な第２画像表示用素子Ｅ２のみが駆動されて各第１画像表示用素子および各第３画像表示用素子は駆動されず、第ｋ＋３番目の単位期間Ｆ内では、第３画像の表示に必要な第３画像表示用素子のみが駆動されて各第１画像表示用素子および各第２画像表示用素子は駆動されない。
【００４１】
上記の態様においても、第１画像の表示に必要な第１画像表示用素子が駆動されるとともに各第２画像表示用素子が駆動されない第１期間（上記の態様においては第ｋ＋１番目の単位期間Ｆ）と、第２画像の表示に必要な第２画像表示用素子が駆動されるとともに各第１画像表示用素子が駆動されない第２期間（上記の態様においては第ｋ＋２番目の単位期間Ｆ）とが、各第１画像表示用素子および各第２画像表示用素子が駆動されない第３期間（上記の態様においては第ｋ＋３番目の単位期間Ｆ）を挟んで繰り返されるように、各素子の駆動が制御部によって制御される。これにより、各単位期間Ｆにおいて第１画像の表示に必要な第１画像表示用素子と第２画像の表示に必要な第２画像表示用素子と第３画像の表示に必要な第３画像表示用素子とが同時に駆動される態様に比べて、各画像の表示が不安定になることを抑制できる。
【００４２】
（５）変形例５
上述の実施形態においては電気光学素子ＥがＯＬＥＤ素子からなる態様が例示されているが、これに限らず、例えば電気光学素子Ｅが、相対向する各電極（画素電極と対向電極）の間に液晶を介在させた液晶素子からなる態様とすることもできる。要するに、電気光学素子Ｅは、印加される電気エネルギーに応じて発光特性や光の透過特性などの光学特性が変化する素子であればよい。
【図面の簡単な説明】
【００４３】
【図１】表示装置の断面図である。
【図２】表示パネルの電気的な構成を示すブロック図である。
【図３】表示装置の模式図である。
【図４】表示装置の動作を説明するためのタイミングチャートである。
【図５】第１画像表示期間および第２画像表示期間の各々における表示内容を示す模式図である。
【図６】第１観察領域へ出力される第１画像と第２観察領域へ出力される第２画像とを示す模式図である。
【図７】第１画像表示期間と第２画像表示期間とが繰り返される態様を表す図である。
【図８】本発明の変形例に係る表示装置の模式図である。
【図９】本発明の変形例に係る表示パネルの電気的な構成を示すブロック図である。
【図１０】第１画像表示期間および第２画像表示期間の各々における表示内容を示す模式図である。
【符号の説明】
【００４４】
１０……表示パネル、１２……走査線、１４……データ線、２０……光進行制御部、４０……制御回路、１００……表示装置、Ｅ……電気光学素子、Ｅ１……第１画像表示用素子、Ｅ２……第２画像表示用素子、Ｏａ……第１の観察領域、Ｏｂ……第２の観察領域、Ｑ……素子部。
Ｔga……第１画像表示期間、Ｔgb……第２画像表示期間。
【図１】
2009300815.tif 000003
【図２】
2009300815.tif 000004
【図３】
2009300815.tif 000005
【図４】
2009300815.tif 000006
【図５】
2009300815.tif 000007
【図６】
2009300815.tif 000008
【図７】
2009300815.tif 000009
【図８】
2009300815.tif 000010
【図９】
2009300815.tif 000011
【図１０】
2009300815.tif 000012